(57)【特許請求の範囲】
【請求項１】
無線インターフェースを通じてホーム基地局によって転送される信号の送信電力の最大値を設定するための方法であって、該ホーム基地局は基地局のセル内に位置する建物内に設置され、
該方法は、
前記ホーム基地局によって、該ホーム基地局付近に位置する少なくとも１つの移動端末をサービングする前記基地局によって転送される受信無線信号の電力値を入手するステップと、
前記ホーム基地局によって、該ホーム基地局付近に位置する前記少なくとも１つの移動端末をサービングしない少なくとも別の基地局及び／又は別のホーム基地局によって転送される受信無線信号の電力値を入手するステップと、
前記ホーム基地局によって、該ホーム基地局によってサービングされる少なくとも１つの移動端末の雑音レベルを入手するステップと、
前記ホーム基地局によって、前記建物の壁貫通係数を考慮に入れて、かつ基地局によってサービングされるとともに前記ホーム基地局付近に位置する移動端末の最悪の信号対干渉雑音比を前記ホーム基地局によってサービングされる移動端末の最悪の信号対干渉雑音比に等しくすることを目指して、前記雑音レベル、並びに前記ホーム基地局付近に位置する前記少なくとも１つの移動端末をサービングしない少なくとも別の基地局及び／又は別のホーム基地局によって転送される受信無線信号の前記電力値、前記基地局によって転送された受信無線信号の前記入手した電力値に従って、前記ホーム基地局によって転送される前記信号の最大送信電力値を設定するステップと、
を含み、
前記ホーム基地局によって転送される信号の前記最大送信電力値は、前記ホーム基地局によってサービングされる移動端末の最悪の信号対干渉雑音比を
【数１】
0005934510.tif 000028
に等しくすることを目指して設定され、
ただし、φ＝ＰＭ，ｉ／（ａＰｉ＋Ｎ）は、前記ホーム基地局が電源を切られるときの、前記基地局によってサービングされるとともに前記建物内に位置する移動端末の信号対干渉雑音比であり、
ａは壁貫通係数であり、
Ｐｉは前記ホーム基地局付近に位置する前記少なくとも１つの移動端末をサービングしない少なくとも別の基地局及び／又は別のホーム基地局によって転送される受信無線信号の電力値であり、
Ｎは前記移動端末ＭＴにおける雑音レベルであり、
η＝ａＰｉ／Ｎである
ことを特徴とする、無線インターフェースを通じてホーム基地局により転送される信号の送信電力の最大値を設定するための方法。
【請求項２】
前記ホーム基地局によって転送される信号の前記最大送信電力値は、前記基地局によってサービングされる移動端末の最悪の信号対干渉雑音比を、前記ホーム基地局からの干渉を受けない場合の送信に比べて所与の劣化係数だけ劣化させることを目指す送信電力に従って設定されることを特徴とする、請求項１に記載の方法。
【請求項３】
前記ホーム基地局によって転送される信号の前記最大送信電力値は、該ホーム基地局によってサービングされる移動端末の最悪の信号対干渉雑音比を
【数２】
0005934510.tif 000029
に等しくすることを目指す送信電力に従って設定され、
ただし、ρは劣化係数であることを特徴とする、請求項２に記載の方法。
【請求項４】
前記ホーム基地局によって転送される信号の前記最大送信電力値は、該ホーム基地局によってサービングされる移動端末の最悪の信号対干渉雑音比を
【数３】
0005934510.tif 000030
に等しくすることを目指して設定されることを特徴とする、請求項３に記載の方法。
【請求項５】
無線インターフェースを通じてホーム基地局により転送される信号の送信電力の最大値を設定するためのデバイスであって、該ホーム基地局は基地局のセル内に位置する建物内に設置され、
該デバイスは、
前記ホーム基地局付近に位置する少なくとも１つの移動端末をサービングする前記基地局によって転送される受信無線信号の電力値を入手する手段と、
前記ホーム基地局によって、該ホーム基地局付近に位置する前記少なくとも１つの移動端末をサービングしない少なくとも別の基地局及び／又は別のホーム基地局によって転送される受信無線信号の電力値を入手する手段と、
前記ホーム基地局によって、該ホーム基地局によってサービングされる少なくとも１つの移動端末の雑音レベルを入手する手段と、
前記ホーム基地局によって、前記建物の壁貫通係数を考慮に入れて、かつ基地局によってサービングされるとともに前記ホーム基地局付近に位置する移動端末の最悪の信号対干渉雑音比を前記ホーム基地局によってサービングされる移動端末の最悪の信号対干渉雑音比に等しくすることを目指して、前記雑音レベル、並びに前記ホーム基地局付近に位置する前記少なくとも１つの移動端末をサービングしない少なくとも別の基地局及び／又は別のホーム基地局によって転送される受信無線信号の前記電力値、前記基地局によって転送された受信無線信号の前記入手した電力値に従って、前記ホーム基地局によって転送される前記信号の最大送信電力値を設定する手段と、
を備え、
前記ホーム基地局によって転送される信号の前記最大送信電力値は、前記ホーム基地局によってサービングされる移動端末の最悪の信号対干渉雑音比を
【数４】
0005934510.tif 000031
に等しくすることを目指して設定され、
ただし、φ＝ＰＭ，ｉ／（ａＰｉ＋Ｎ）は、前記ホーム基地局が電源を切られるときの、前記基地局によってサービングされるとともに前記建物内に位置する移動端末の信号対干渉雑音比であり、
ａは壁貫通係数であり、
Ｐｉは前記ホーム基地局付近に位置する前記少なくとも１つの移動端末をサービングしない少なくとも別の基地局及び／又は別のホーム基地局によって転送される受信無線信号の電力値であり、
Ｎは前記移動端末ＭＴにおける雑音レベルであり、
η＝ａＰｉ／Ｎである
ことを特徴とする、無線インターフェースを通じてホーム基地局により転送される信号の送信電力の最大値を設定するためのデバイス。
【発明の詳細な説明】
【技術分野】
【０００１】
本発明は包括的には、無線インターフェースを通じてホーム基地局によって転送される信号の送信電力の最大値を設定するための方法及びデバイスに関する。
【背景技術】
【０００２】
無線セルラー電気通信ネットワークは広く展開されているが、無線セルラー電気通信ネットワークの基地局によってカバーされないいくつかのエリアが依然として存在する。基地局は、所与の計画に従って事業者によって展開される。
【０００３】
例えば、基地局及び／又は移動端末によって放射される信号が過度に減衰すると、無線セルラー電気通信ネットワークへのアクセスは、不可能になるか、又は過度に大きな送信電力若しくは過度に低いスペクトル効率、すなわち、建物内に位置する移動端末に対して過度に多くのシステムリソースを必要とする場合がある。
【０００４】
今日、複数の解決策が提案されている。ホーム基地局若しくはフェムト基地局若しくはピコ基地局又は中継器のような、必ずしも事業者によって展開されるのではなく、それゆえ、所与の計画に従わない特定の基地局が、建物内のカバレッジエリア及び基地局負荷軽減（offload）を提供することができる。中継器は、屋外のカバレッジ拡張を提供することもできる。
【０００５】
ホーム基地局又はフェムト基地局が提供するカバレッジエリアは限られる。絶えずカバレッジエリアサイズを縮小し、スペクトル効率を増加させることに起因して、セル間干渉が主な問題になった。
【０００６】
これらのホーム基地局は、基地局と強く干渉するか、若しくは更にはカバレッジホールを生成する場合があるか、又は、ホーム基地局の電力は、ホーム基地局信号が基地局信号と過度に干渉するのを避けるために、良好なリンク条件において移動端末をサービングするには低すぎる送信電力値に設定される場合がある。
【０００７】
シャドーイングが生じない場合、干渉の影響は、基地局及びホーム基地局を隔てる距離による。ダウンリンクチャネルでは、基地局とホーム基地局との間の距離が長いほど、ホーム基地局の送信電力値は小さくすべきであり、基地局とホーム基地局との間の距離が短いほど、ホーム基地局の送信電力値は大きくすべきである。
【０００８】
ホーム基地局は、それぞれのリソースを通じて、限られた数の移動端末だけが無線セルラー電気通信ネットワークにアクセスできるようにする。ホーム基地局を通じてネットワークのリソースにアクセスするのを許される移動端末は、ホーム基地局の所有者、ネットワーク、又はその両方の組み合わせによって決定され得る。
【０００９】
ここで、所有者は包括的な意味において理解されなければならない。所有者はホーム基地局の唯一の主なユーザーとすることもできるし、ホーム基地局を賃借りする人とすることもできるし、自分の家又は事務所内にホーム基地局を収容する人とすることもできる。
【００１０】
例えば、ホーム基地局の所有者及びその家族の移動端末だけがホーム基地局を通じて無線セルラー電気通信ネットワークにアクセスすることができる。これらの移動端末は、ホーム基地局に関連付けられる。
【００１１】
基地局は、それぞれのリソースを通じて、多数の移動端末が無線セルラー電気通信ネットワークにアクセスできるようにする。基地局を通じてネットワークのリソースにアクセスするのを許される移動端末は、無線セルラー電気通信ネットワークの事業者によって決定され得る。
【００１２】
基地局のセルは通常、一般的に建物内に設置されたホーム基地局のセルよりもはるかに大きい。
【発明の概要】
【発明が解決しようとする課題】
【００１３】
本発明は、ホーム基地局と、該ホーム基地局によってサービングされる移動端末との間で転送される信号が、基地局と、該基地局によってサービングされる移動端末との間で転送される信号と著しく干渉するのを避けることを目的する。
【課題を解決するための手段】
【００１４】
そのために、本発明は、無線インターフェースを通じてホーム基地局により転送される信号の送信電力の最大値を設定するための方法であって、該ホーム基地局は基地局のセル内に位置する建物内に設置され、
該方法は、
前記ホーム基地局によって、該ホーム基地局付近に位置する少なくとも１つの移動端末をサービングする前記基地局によって転送される受信無線信号の電力値を入手するステップと、
前記ホーム基地局によって、前記建物の壁貫通係数を考慮に入れて、かつ基地局によってサービングされるとともに前記ホーム基地局付近に位置する移動端末の最悪の信号対干渉雑音比を前記ホーム基地局によってサービングされる移動端末の最悪の信号対干渉雑音比に等しくすることを目指して、前記基地局によって転送された受信無線信号の前記入手した電力値に従って、前記ホーム基地局によって転送される前記信号の送信電力の最大値を設定するステップと、
を含むことを特徴とする、無線インターフェースを通じてホーム基地局により転送される信号の送信電力の最大値を設定するための方法に関する。
【００１５】
本発明はまた、無線インターフェースを通じてホーム基地局により転送される信号の送信電力の最大値を設定するためのデバイスであって、該ホーム基地局は基地局のセル内に位置する建物内に設置され、
該デバイスは、
前記ホーム基地局付近に位置する少なくとも１つの移動端末をサービングする前記基地局によって転送される受信無線信号の電力値を入手する手段と、
前記建物の壁貫通係数を考慮に入れて、かつ基地局によってサービングされるとともに前記ホーム基地局付近に位置する移動端末の最悪の信号対干渉雑音比を前記ホーム基地局によってサービングされる移動端末の最悪信号対干渉雑音比に等しくすることを目指して、前記基地局によって転送された受信無線信号の前記入手した電力値に従って、前記ホーム基地局によって転送される前記信号の前記送信電力値の最大値を設定する手段と、
を備えることを特徴とする、無線インターフェースを通じてホーム基地局により転送される信号の送信電力の最大値を設定するためのデバイスに関する。
【００１６】
したがって、ホーム基地局セルエッジにおいてサービングされるスループットと、ホーム基地局周囲の基地局セルエッジにおいてサービングされるスループットとの間のバランスが適正になる。これにより、基地局スループットもホーム基地局スループットも優先されることはない。
【００１７】
特定の特徴によれば、前記ホーム基地局は、
該ホーム基地局付近に位置する前記少なくとも１つの移動端末をサービングしない少なくとも別の基地局及び／又は別のホーム基地局によって転送される受信無線信号の電力値を入手し、
該ホーム基地局によってサービングされる少なくとも１つの移動端末の雑音レベルを入手し、
前記ホーム基地局によって転送される信号の前記最大送信電力値は、前記雑音レベル、並びに前記ホーム基地局付近に位置する前記少なくとも１つの移動端末をサービングしない少なくとも別の基地局及び／又は別のホーム基地局によって転送される受信無線信号の前記電力値に基づいて設定される。
【００１８】
したがって、雑音レベル、並びにホーム基地局付近にある移動端末において、ホーム基地局とは異なる他の基地局及び／又は他のホーム基地局からの信号送信から生じるセル間干渉が考慮に入れられるので、ホーム基地局の最大送信電力値は、移動端末性能への実際の影響に基づいて設定される。実際には、ホーム基地局が送信しない場合に、セル間干渉又は雑音レベルが既に高い場合には、移動端末性能へのその影響を無視することができ、更に高いホーム基地局送信電力を適用することができる。
【００１９】
特定の特徴によれば、前記ホーム基地局によって転送される信号の前記最大送信電力値は、前記ホーム基地局によってサービングされる移動端末の最悪の信号対干渉雑音比
【数１】
0005934510.tif 000002
を有することを目指して設定され、
ただし、φ＝ＰM,i／（ａＰi＋Ｎ）は、前記ホーム基地局が電源を切られるときの、前記基地局によってサービングされるとともに前記建物内に位置する移動端末の信号対干渉雑音比であり、
ａは壁貫通係数であり、
Ｐiは前記ホーム基地局付近に位置する前記少なくとも１つの移動端末をサービングしない少なくとも別の基地局及び／又は別のホーム基地局によって転送される受信無線信号の電力値であり、
Ｎは前記移動端末ＭＴにおける雑音レベルであり、
η＝ａＰi／Ｎである。
【００２０】
したがって、この式によれば、最大ホーム基地局送信電力値を設定し、かつ基地局によってサービングされるとともにホーム基地局付近に位置する移動端末の最悪の信号対干渉雑音比ＳＩＮＲ1F,CEを、ホーム基地局によってサービングされる移動端末の最悪の信号対干渉雑音比に等しくすることを目指すための実用的な解が存在する。
【００２１】
特定の特徴によれば、前記ホーム基地局によって転送される信号の前記最大送信電力値は、前記基地局によってサービングされる移動端末の最悪の信号対干渉雑音比を、前記ホーム基地局からの干渉を受けない場合の送信に比べて所与の劣化係数だけ劣化させることを目指す送信電力に従って設定される。
【００２２】
したがって、ホーム基地局送信による基地局劣化が制御され、事業者及びその顧客が許容できると想定される一定のレベル未満に保持される。
【００２３】
特定の特徴によれば、前記ホーム基地局によって転送される信号の前記最大送信電力値は、該ホーム基地局によってサービングされる移動端末の最悪の信号対干渉雑音比
【数２】
0005934510.tif 000003
を有することを目指して設定され、
ただし、ρは劣化係数である。
【００２４】
特定の特徴によれば、前記ホーム基地局によって転送される信号の前記最大送信電力値は、該ホーム基地局によってサービングされる移動端末の最悪の信号対干渉雑音比
【数３】
0005934510.tif 000004
を有することを目指して設定される。
【００２５】
したがって、この式によれば、ホーム基地局最大送信電力値を設定する実用的な解であって、基地局によってサービングされる移動端末の最悪の信号対干渉雑音比をホーム基地局からの干渉がない場合の送信に比べて劣化係数だけ劣化させることを目指す送信電力に従って、基地局によってサービングされるとともにホーム基地局付近に位置する移動端末の最悪の信号対干渉雑音比を設定させることを目指すための実用的な解が存在する。
【００２６】
特定の特徴によれば、前記ホーム基地局によって転送される信号の前記最大送信電力値はテーブルを用いて設定され、前記基地局によって転送された受信無線信号の前記入手した電力値は、前記壁貫通係数及び所定の係数に依存する関数だけシフトされる最大送信電力値を与えるテーブルのエントリである。
【００２７】
したがって、事業者は、ネットワークを通じてホーム基地局に適切なテーブルを提供することができ、テーブルを変更することによって、ホーム基地局の電力設定規則を容易に更新することができる。
【００２８】
テーブルのエントリによって、各ホーム基地局の最大送信電力値をその環境に応じて適合させることができる。最大送信電力値は、テーブルエントリには含まれないが、それでも送信電力値の選択に影響を与えるパラメーターに従ってシフトされ得る。
【００２９】
これにより、最大送信電力値は、壁貫通係数及び所定の係数のような、最初にテーブル設計の一部ではなかったパラメーターを考慮に入れて、更に適切に設定される。したがって、テーブルは、エントリの数が少なく、簡単なままである。
【００３０】
特定の特徴によれば、前記ホーム基地局は、
該ホーム基地局付近に位置する少なくとも１つの移動端末をサービングしない少なくとも別の基地局及び／又は別のホーム基地局によって転送される受信無線信号の電力値を入手し、
該ホーム基地局によってサービングされる少なくとも１つの移動端末の雑音レベルを入手し、
前記ホーム基地局によって転送される信号の前記最大送信電力値はテーブルを用いて設定され、受信無線信号の前記入手した電力値、前記建物の前記壁貫通係数及び前記雑音レベルは該テーブルのエントリである。
【００３１】
したがって、テーブルはテーブルの更に多くのパラメーターエントリを含み、事業者は最大送信電力設定を更に良好に制御することができる。
【００３２】
特定の特徴によれば、前記ホーム基地局は、
該ホーム基地局付近に位置する少なくとも１つの移動端末をサービングしない少なくとも別の基地局及び／又は別のホーム基地局によって転送される受信無線信号の電力値を入手し、
該ホーム基地局によってサービングされる少なくとも１つの移動端末の雑音レベルを入手し、
該ホーム基地局と該ホーム基地局によってサービングされる移動端末との間の前記建物内の最小経路利得を入手し、
前記ホーム基地局によって転送される信号の前記最大送信電力値はテーブルを用いて設定され、受信無線信号の前記入手した電力値、前記最小経路利得、前記建物の前記壁貫通係数及び前記雑音レベルは該テーブルのエントリである。
【００３３】
したがって、テーブルは、テーブルの更に多くのパラメーターエントリを含み、事業者は最大送信電力設定を、更に良好に制御することができる。
【００３４】
特定の特徴によれば、前記ホーム基地局は、
第２の通信プロトコルの信号が転送される第２の周波数帯上でいくつかの測定を実行するように少なくとも１つの移動端末に要求するメッセージを、前記無線インターフェースを通じて、第１の周波数帯内で信号が転送される第１の通信プロトコルを用いて転送し、
前記少なくとも１つの移動端末によって実行される測定値を、前記無線インターフェースを通じて、前記第１の通信プロトコルを用いて受信し、
前記第２の周波数帯について、前記ホーム基地局と該ホーム基地局によってサービングされる移動端末との間の前記建物内の最小経路利得、及び壁貫通係数を入手し、
前記測定値、前記壁貫通係数及び前記最小経路利得に従って、前記第２の周波数帯内で前記ホーム基地局によって転送される前記信号の前記送信電力値の最大値を設定する。
【００３５】
したがって、例えば、第１の周波数帯において３ＧＰＰ  ＬＴＥ（第三世代パートナーシッププロジェクトロングタームエボリューション(third Generation Partnership Project Long Term Evolution)）プロトコルを使用し、例えば、第２の周波数帯において３ＧＰＰ  ＵＭＴＳ（ユニバーサル移動通信システム(Universal Mobile Telecommunications System)）プロトコル又は３ＧＰＰ  ＨＳＰＡ（高速パケットアクセス(High Speed Packet Access)）プロトコルを使用する、２つの周波数帯において動作することができるハイブリッドホーム基地局のようなホーム基地局は、その最大送信電力値を適切に設定するために、これらの能力を利用することができる。
３ＧＰＰ  ＬＴＥでは、ホーム基地局は、ＲＡＴ間測定（別の無線アクセス技術に属するダウンリンクチャネル上での測定）を開始する、すなわち、移動端末に３ＧＰＰ  ＵＭＴＳ／ＨＳＰＡ周波数帯上で測定を実行するように要求することができるとともに、３ＧＰＰ  ＵＭＴＳ及び３ＧＰＰ  ＨＳＰＡの場合とは異なり、移動端末測定を処理することができるので、第２の周波数帯において適切な最大送信電力値を選択するために、この知識から利益を得ることができる。
【００３６】
特定の特徴によれば、前記ホーム基地局は、
前記第１の周波数帯上でいくつかの測定を実行するように少なくとも１つの移動端末に要求するメッセージを、前記無線インターフェースを通じて、第１の周波数帯内で信号が転送される第１の通信プロトコルを用いて転送し、
前記少なくとも１つの移動端末によって実行される測定値を、前記無線インターフェースを通じて、前記第１の通信プロトコルを用いて受信し、
前記第１の周波数帯について、前記ホーム基地局と該ホーム基地局によってサービングされる移動端末との間の前記建物内の最小経路利得、及び壁貫通係数を入手し、
前記ホーム基地局と該ホーム基地局によってサービングされる移動端末との間の前記建物内の前記最小経路利得、及び前記壁貫通係数を前記第２の周波数帯に移行し、
前記測定値、前記移行した前記壁貫通係数及び前記最小経路利得に従って、前記第２の周波数帯内で前記ホーム基地局によって転送される前記信号の前記送信電力値の最大値を設定する。
【００３７】
したがって、例えば、第１の周波数帯において３ＧＰＰ  ＬＴＥプロトコルを使用し、例えば、第２の周波数帯において３ＧＰＰ  ＵＭＴＳプロトコル又は３ＧＰＰ  ＨＳＰＡプロトコルを使用する、２つの周波数帯において動作することができるハイブリッドホーム基地局のようなホーム基地局は、その最大送信電力を適切に設定するために、これらの能力を利用することができる。
３ＧＰＰ  ＬＴＥでは、ホーム基地局は、３ＧＰＰ  ＵＭＴＳ及び３ＧＰＰ  ＨＳＰＡの場合とは異なり、移動端末測定を処理することができるので、第２の周波数帯において適切な最大送信電力値を選択するために、この知識から利益を得ることができる。
【００３８】
第１の周波数帯及び第２の周波数帯の異なる伝搬特性に応じて補正を適用することにより、ホーム基地局は、長く複雑なＲＡＴ間測定に頼ることなく、その最大送信電力値を適切に設定することができる。
【００３９】
更に別の態様によれば、本発明は、プログラマブルデバイスに直接にロードすることができるコンピュータープログラムに関し、そのコンピュータープログラムは、プログラマブルデバイス上でそのコンピュータープログラムが実行されるときに、本発明による方法のステップを実施するための命令又はコードの一部を含む。
【００４０】
また、本発明は、１組の命令を含むコンピュータープログラムを格納する情報記憶手段にも関連し、１組の命令は、格納された情報がコンピューターによって読み出され、プロセッサによって実行されるときに、本発明の種々の実施の形態のうちのいずれか１つにおいて上記の方法を実施するためにプロセッサによって実行することができる。
【００４１】
コンピュータープログラム及び／又は情報記憶手段に関連する特徴及び利点は、本発明による方法及びデバイスに関連して上記で詳述されたのと同じであるので、ここでは繰り返さない。
【００４２】
本発明の特徴は、実施形態の例に関する以下の説明を読むことから更に明らかになり、その説明は添付の図面を参照しながら行われる。
【図面の簡単な説明】
【００４３】
【図１】本発明が実施される無線セルラー電気通信ネットワークを表す図である。
【図２】本発明が実施されるホーム基地局のアーキテクチャーを表す図である。
【図３】本発明が実施されるサーバーのアーキテクチャーを表す図である。
【図４】本発明による、無線インターフェースを通じてホーム基地局によって転送される信号の送信電力の最大値を設定するためのアルゴリズムの第１の例を開示する図である。
【図５】本発明による、無線インターフェースを通じてホーム基地局により転送される信号の送信電力の最大値を設定するためのアルゴリズムの第２の例を開示する図である。
【図６】本発明による、無線インターフェースを通じてホーム基地局によって転送される信号の送信電力の最大値を設定するためのアルゴリズムの第３の例を開示する図である。
【図７】本発明による、無線インターフェースを通じてホーム基地局によって転送される信号の送信電力の最大値を設定するためのアルゴリズムの第４の例を開示する図である。
【図８】本発明による、無線インターフェースを通じてホーム基地局によって転送される信号の送信電力の最大値を設定するためのアルゴリズムの第５の例を開示する図である。
【図９】本発明による、無線インターフェースを通じてホーム基地局によって転送される信号の送信電力の最大値を設定するためのアルゴリズムの第６の例を開示する図である。
【発明を実施するための形態】
【００４４】
図１は、本発明が実施される無線セルラー電気通信ネットワークを表す。
【００４５】
図１には、無線セルラー電気通信ネットワークの２つの基地局ＢＳ１及びＢＳ２並びに１つのホーム基地局ＨＢＳが示されている。
【００４６】
２つの基地局ＢＳ１及びＢＳ２並びに１つのホーム基地局ＨＢＳしか示されないが、本発明は、更に多くの数の基地局ＢＳ及び／又はホーム基地局ＨＢＳが存在するときにも機能することを理解することができる。
【００４７】
基地局ＢＳ１は、例えば、無線セルラー電気通信ネットワークの基地局であり、基地局ＢＳ１のセルＣＥ１内に位置する移動端末をサービングする。
【００４８】
明確にするために、図１には２つの移動端末ＭＴ１及びＭＴ２だけが示される。
【００４９】
ホーム基地局ＨＢＳは、フェムト基地局又はピコ基地局又は中継器とも呼ばれる。例えば、中継器は、基地局ＢＳ１との無線リンクを介して無線セルラー電気通信ネットワークに接続されるホーム基地局である。
【００５０】
ホーム基地局ＨＢＳは建物又は家ＨＭ内に設置され、ホーム基地局ＨＢＳに関連付けられた移動端末ＭＴが無線セルラー電気通信ネットワークにアクセスできるようにすることができる。
【００５１】
例えば、ホーム基地局ＨＢＳ、及び例えば移動端末Ｍ１のような移動端末ＭＴは、移動端末ＭＴ１がホーム基地局ＨＢＳの所有者に属するときに、又は移動端末ＭＴ１がホーム基地局ＨＢＳの所有者の家族又は友人に属するときに関連付けられる。
【００５２】
移動端末ＭＴが基地局ＢＳ又はホーム基地局ＨＢＳによってサービングされるときに、その移動端末は、基地局ＢＳ又はホーム基地局ＨＢＳを通じて、遠隔通信デバイスとの通信を受信又は確立又は継続することができる。
【００５３】
基地局ＢＳ１は、エリア又はセルＣＥ１内に位置する移動端末ＭＴ２によって転送される信号を受信することができる。基地局ＢＳ１は、セルＣＥ１内に位置する移動端末ＭＴ２が受信し処理することができる信号を転送する。図１の例では、基地局ＢＳ１は１つのセルＣＥ１のみを有する。本発明は、基地局ＢＳ１が複数のセルを有するときにも適用することができる。
【００５４】
ホーム基地局ＨＢＳは移動端末ＭＴ１をサービングする。ホーム基地局ＨＢＳは、エリア又はセル内に位置する移動端末ＭＴ１によって転送される信号を受信することができる。
【００５５】
図１の例によれば、ホーム基地局ＨＢＳのセルは、建物ＨＭ内に限られるが、建物ＨＭよりも広いエリアをカバーすることができる。ホーム基地局ＨＢＳは、移動端末ＭＴ１が受信し処理することができる信号を転送する。
【００５６】
移動端末ＭＴ１及びホーム基地局ＨＢＳは、基地局ＢＳ１及びＢＳ２から、かつ図１には示されない近隣の基地局及び／又はホーム基地局から信号を受信する。これらの受信信号は、ホーム基地局ＨＢＳによって転送される信号に対し干渉する。
【００５７】
図１には、サーバーＳｅｒｖが示される。サーバーＳｅｒｖは、複数の基地局ＢＳの複数のセル及び複数のホーム基地局ＨＢＳの複数のセルを制御することができ、かつ本発明による本アルゴリズムの少なくとも一部を実行することができるコアネットワークデバイスである。サーバーＳｅｒｖは、コーディネーターと呼ぶこともできる。
【００５８】
本発明によれば、ホーム基地局は、
−ホーム基地局付近に位置する少なくとも１つの移動端末をサービングする基地局によって転送される受信無線信号の電力値を入手し、
−建物の壁貫通係数を考慮に入れて、かつ基地局によってサービングされるとともにホーム基地局付近に位置する移動端末の最悪の信号対干渉雑音比をホーム基地局によってサービングされる移動端末の最悪の信号対干渉雑音比に等しくすることを目指して、基地局によって転送された受信無線信号の入手した電力値に従って、ホーム基地局によって転送される信号の送信電力の最大値を設定する。
【００５９】
ホーム基地局ＨＢＳによってサービングされる移動端末ＭＴ１の全ての取り得る位置について、ホーム基地局ＨＢＳによって転送されるとともに移動端末ＭＴ１によって受信される信号の電力値ＰF,uは、ホーム基地局ＨＢＳによって転送されるとともにホーム基地局ＨＢＳのセルエッジにおいて受信される信号の電力値ＰF,CE以上である。
【００６０】
基地局ＢＳ１によってサービングされるとともに、ホーム基地局付近に、すなわち、ホーム基地局ＨＢＳのセルの近くに位置する移動端末ＭＴ２によって経験される信号対干渉雑音比（ＳＩＮＲ）は以下のように表される。
【数４】
0005934510.tif 000005
ただし、ａは建物ＨＭの壁貫通係数である。ａ＜１は壁減衰、すなわち、建物ＨＭの壁貫通損失を表す。
Ｎは、移動端末ＭＴにおける雑音レベルである。
ＰM,uは、基地局ＢＳ１によって転送されるとともに移動端末ＭＴ２によって受信される信号の電力値である。
ＰF,CEは、ホーム基地局ＨＢＳによって転送されるとともにホーム基地局ＨＢＳのセルエッジにおいて受信される信号の電力値である。
ＰM,iは、基地局ＢＳ１によって転送されるとともに移動端末ＭＴ１によって受信される信号、すなわち、基地局ＢＳ１から移動端末ＭＴ１によって受信される干渉の電力値である。
Ｐiは、基地局ＢＳ２によって転送されるとともに移動端末ＭＴ１によって受信される信号、すなわち、基地局ＢＳ２のような、建物ＨＭ付近に位置する移動端末をサービングしない基地局及び／又はホーム基地局から移動端末ＭＴ１によって受信される干渉の電力値である。
【００６１】
基地局ＢＳ１によって転送されるとともに移動端末ＭＴ１によって受信される信号の電力値ＰM,iは、移動端末ＭＴ１によって、又はホーム基地局ＨＢＳによって測定することができる。
【００６２】
基地局ＢＳ１によって転送されるとともに移動端末ＭＴ１によって受信される信号の電力値ＰM,iがホーム基地局ＨＢＳによって測定される場合には、その電力値はホーム基地局ＨＢＳのセル内で一定であると見なされる。
【００６３】
電力値Ｐiは、移動端末ＭＴ１によって、又はホーム基地局ＨＢＳによって測定することができる。
【００６４】
電力値Ｐiがホーム基地局ＨＢＳによって測定される場合には、その電力値はホーム基地局ＨＢＳのセル内で一定であると見なされる。
【００６５】
移動端末における雑音レベルＮは、全ての移動端末について同じであると見なされる。移動端末における雑音レベルＮは、基地局ＢＳ１によって転送されるとともに移動端末ＭＴ１によって受信される信号によって生成される雑音及び基地局ＢＳ２によって転送されるとともに移動端末ＭＴ１によって受信される信号によって生成される雑音を除く、熱雑音のような任意の雑音を含む。
【００６６】
移動端末ＭＴ１が建物ＨＭの外側に位置する場合（これは移動端末ＭＴ１がホーム基地局ＨＢＳから基地局ＢＳ１にハンドオーバーする直前に生じる可能性がある）、ホーム基地局ＨＢＳから移動端末ＭＴ１によって受信される信号の電力値はａだけ減衰する一方で、基地局ＢＳ１及び基地局ＢＳ２から受信される干渉電力値は、移動端末ＭＴ１が建物ＨＭ内に位置する場合よりも１／ａだけ大きいことに留意されたい。
【００６７】
さらに、ここで通常、１０ｌｏｇ10（ａ）≦−５ｄＢであることに留意されたい。
【００６８】
本発明によれば、ＰM.u≧ＰM,i／ａを設定することによって下限が得られる。すなわち、移動端末ＭＴ２と基地局ＢＳ１との間の無線リンクは、壁貫通係数によって補正された、移動端末ＭＴ１と基地局ＢＳ１との間の無線リンクよりも高い経路利得を有する。
【００６９】
さらに、ＰF,i≦ａＰF,CE≦ａＰF,uである。すなわち、ホーム基地局ＨＢＳによって転送されるとともに移動端末ＭＴ２によって受信される信号の電力値ＰF,iは、ホーム基地局ＨＢＳによって転送されるとともに移動端末ＭＴ１によって受信される信号の電力値であるＰF,uに、壁貫通係数を掛けた値よりも低いと仮定される。
【００７０】
ＰF,i≦ａＰF,CEとみなす。言い換えると、最悪の場合、移動端末ＭＴ１は壁の近くにあり、移動端末ＭＴ２は壁の直ぐ後にあると仮定することができる。
【００７１】
値γは、建物ＨＭに近くかつ建物ＨＭの外側にある基地局ＢＳ１によってサービングされる移動端末ＭＴ２のための目標ＳＩＮＲである。
【００７２】
ホーム基地局ＨＢＳによってサービングされる移動端末ＭＴ１によって経験される信号対干渉雑音比ＳＩＮＲFUEは、以下のように表される。
【数５】
0005934510.tif 000006
【００７３】
ホーム基地局ＨＢＳによってサービングされるとともにホーム基地局ＨＢＳのセルエッジにある移動端末ＭＴによって経験される信号対干渉雑音比ＳＩＮＲF,CEは、以下のように表される。
【数６】
0005934510.tif 000007
【００７４】
本発明によれば、ホーム基地局ＨＢＳ無線信号送信電力値は、移動端末ＭＴ２のための最低限の性能を保証するように設定される。これは、γを所与の値に設定することによって達成される。ホーム基地局ＨＢＳ最大無線信号送信電力値は、ホーム基地局ＨＢＳのセルエッジにおいて受信される電力がＰF,CE以下であるように設定することができる。
【数７】
0005934510.tif 000008
ただし、φ＝ＰM,i／（ａＰi＋Ｎ）は、ホーム基地局が電源を切られるときの、基地局ＢＳ１によってサービングされるとともに建物ＨＭ内に位置する移動端末ＭＴのＳＩＮＲである。壁貫通係数は、専門技術者によって測定するか又はホーム基地局ＨＢＳの所有者によって実行される測定から推測することもできるし、ａmax（例えば、−５ｄＢ）を上限とすることもできるし、例えば、移動端末が建物ＨＭに入るか、又は建物ＨＭから離れるときに、ホーム基地局ＨＢＳによってサービングされる移動端末ＭＴによって、及び／又はホーム基地局ＨＢＳによって実行される測定から推測することもできる。
【００７５】
ＰF,CEは、ホーム基地局ＨＢＳのセルエッジにおける上限を表す。本発明によれば、ホーム基地局ＨＢＳのセルエッジにおいてＰF,CEよりも低い受信電力、例えば、ＰF,CEの９０％の電力に対応するホーム基地局の無線信号送信電力を用いることもできる。
【００７６】
ホーム基地局ＨＢＳ無線信号送信電力を制限することによって、建物ＨＭ内の最悪のＳＩＮＲは以下のように表される。
【数８】
0005934510.tif 000009
ただし、η＝ａＰi／Ｎは、ホーム基地局ＨＢＳがオンにされないときに、システムが建物ＨＭ内で干渉又は雑音制限されるか否かを示す。
【００７７】
本発明によれば、基地局ＢＳ１によってサービングされるとともに建物ＨＭの近くにある移動端末ＭＴの最悪のＳＩＮＲは、建物ＨＭ内の最悪のＳＩＮＲ、ＳＩＮＲF,CEに等しく設定される。
【数９】
0005934510.tif 000010
そして、ホーム基地局によって転送されるとともにホーム基地局ＨＢＳのセルエッジにおいて受信される信号の送信電力の最大値は以下の通りである。
【数１０】
0005934510.tif 000011
この値は、基地局ＢＳ１によってサービングされる移動端末ＭＴ２のＳＩＮＲがγよりも大きいことを保証する。
【００７８】
ここで、λＳＩＮＲ1F,CE＝γを解くことによってこれを一般化できることに留意されたい。ただし、λはホーム基地局ＨＢＳのＳＩＮＲペナルティである。
【００７９】
この方策は、φの大きな値に対して、すなわち、基地局ＢＳ１セル中心において、すなわち、ホーム基地局ＨＢＳが基地局ＢＳ１セル中心にあるときに、効率的に適用され得る。
【００８０】
ホーム基地局ＨＢＳが起動されないときに、基地局ＢＳ１によってサービングされるとともに建物ＨＭの近くにある移動端末ＭＴ２のＳＩＮＲは、
【数１１】
0005934510.tif 000012
に等しい。基地局ＢＳ１によってサービングされる移動端末ＭＴ２のためのＳＩＮＲが最大で劣化係数ρだけ劣化するような、ホーム基地局ＨＢＳ無線信号送信電力設定のための目標ＳＩＮＲγを得ることができる。例えば、ρは、デシベル単位で表される場合に、−０．５ｄＢに等しい。したがって、基地局ＢＳ１によってサービングされる移動端末ＭＴ２の目標ＳＩＮＲは以下の通りである。
【数１２】
0005934510.tif 000013
【００８１】
その場合、セルエッジにおいてホーム基地局ＨＢＳによってサービングされる移動端末ＭＴ１のためのＳＩＮＲは、以下の値を超えてはならない。
【数１３】
0005934510.tif 000014
【００８２】
ここで、係数ρはＳＩＮＲ劣化であることに留意されたい。係数ρは、例えば、シャノン容量のような他の項目の劣化も表すことができる。
【００８３】
その場合、
【数１４】
0005934510.tif 000015
である。
【００８４】
したがって、この手法によれば、基地局ＢＳ１によってサービングされる移動端末ＭＴ２のＳＩＮＲ、すなわちφが増加するとき、ホーム基地局ＨＢＳ性能が低下することがわかる。したがって、ホーム基地局ＨＢＳ無線信号電力設定は、基地局ＢＳ１デッドゾーン又は基地局ＢＳ１セルエッジにおいてより良好に機能し、それらの場所では、雑音及び干渉の他の発生源に対して、基地局ＢＳ１によってサービングされる移動端末に対するその干渉を無視できるようになる。
【００８５】
本発明の特定の実現形態によれば、ＳＩＮＲ1F,CE及びＳＩＮＲ2F,CEは、補足的な利益を得るために組み合わせられる。
【００８６】
ＳＩＮＲ1F,CE及びＳＩＮＲ2F,CEは一次結合することができるか、又は例えば、ＳＩＮＲ1F,CE及びＳＩＮＲ2F,CEの最大値をとること等によって、非線形に組み合わせることができる。
【００８７】
例えば、ＳＩＮＲは、ホーム基地局ＨＢＳフェムトセルエッジにおいて、２つのＳＩＮＲ1F,CE及びＳＩＮＲ2F,CEの和として設定される。その際、以下の式が成り立つ。
【数１５】
0005934510.tif 000016
【００８８】
ホーム基地局ＨＢＳセルエッジにおける最大受信電力値は以下の値に設定される。
【数１６】
0005934510.tif 000017
【００８９】
Ｇが、ホーム基地局ＨＢＳと、ホーム基地局ＨＢＳによってサービングされる移動端末ＭＴとの間の建物ＨＭ内の最も低い経路利得である場合、ホーム基地局ＨＢＳの最大無線信号送信電力値はＰF,CE／Ｇに設定される。これは、ホーム基地局ＨＢＳの無線信号送信電力の最大値が以下の値に設定されることを意味する。
【数１７】
0005934510.tif 000018
【００９０】
Ｇは、例えば、ホーム基地局ＨＢＳによってサービングされる移動端末ＭＴによって転送される測定報告を用いて、長期的に決定される。
【００９１】
図２は、本発明が実施されるホーム基地局のアーキテクチャーを表す図である。
【００９２】
ホーム基地局ＨＢＳは、例えば、バス２０１によって互いに接続される構成要素、及び図４〜図９において開示されるようなプログラムによって制御されるプロセッサ２００に基づくアーキテクチャーを有する。
【００９３】
バス２０１は、プロセッサ２００を、リードオンリーメモリＲＯＭ２０２、ランダムアクセスメモリＲＡＭ２０３、無線インターフェース２０５及びネットワークインターフェース２０６にリンクする。
【００９４】
メモリ２０３は、図４〜図９において開示されるようなアルゴリズムに関連するプログラムの変数及び命令を受信するように構成されるレジスタを含む。
【００９５】
プロセッサ２００は、ネットワークインターフェース２０６及び無線インターフェース２０５の動作を制御する。
【００９６】
リードオンリーメモリ２０２は、図４〜図９において開示されるようなアルゴリズムに関連するプログラムの命令を含み、それらの命令は、ホーム基地局ＨＢＳが電源を入れられるときに、ランダムアクセスメモリ２０３に転送される。
【００９７】
ホーム基地局ＨＢＳは、ネットワークインターフェース２０６を通じて、図１には示されないバックボーンネットワークに接続することができる。例えば、ネットワークインターフェース２０６は、ＤＳＬ（デジタル加入者線(Digital Subscriber Line)）モデム、又はＩＳＤＮ（統合サービスデジタル網(Integrated Services Digital Network)）インターフェース、又はホーム基地局ＨＢＳをコアネットワーク、サーバーＳｅｒｖ及び／若しくは基地局ＢＳ等にリンクする無線リンク等である。ネットワークインターフェース２０６を通じて、ホーム基地局ＨＢＳは、無線セルラー電気通信ネットワークのコアネットワークにメッセージを転送することができる。
【００９８】
無線インターフェース２０５及びネットワークインターフェース２０６は、移動端末ＭＴ１が遠隔電気通信デバイスとの通信を確立又は受信するときに、無線セルラー電気通信ネットワークにアクセスするために移動端末ＭＴ１によって用いられるホーム基地局ＨＢＳのリソースである。
【００９９】
図３は、本発明を実施することができるサーバーのアーキテクチャーを表す図である。
【０１００】
サーバーＳｅｒｖは、例えば、バス３０１によって互いに接続される構成要素、及び図４〜図９において開示されるようなプログラムの一部によって制御されるプロセッサ３００に基づくアーキテクチャーを有する。
【０１０１】
バス３０１は、プロセッサ３００を、リードオンリーメモリＲＯＭ３０２、ランダムアクセスメモリＲＡＭ３０３及びネットワークインターフェース３０６にリンクする。
【０１０２】
ランダムアクセスメモリ３０３は、図４〜図９において開示されるようなアルゴリズムに関連するプログラムの部分の変数及び命令を受信するように構成されるレジスタを含む。
【０１０３】
プロセッサ３００は、ネットワークインターフェース３０６の動作を制御する。
【０１０４】
リードオンリーメモリ３０２は、図４〜図９において開示されるようなアルゴリズムに関連するプログラムの部分の命令を含み、それらの命令は、サーバーＳｅｒｖが電源を入れられるときに、ランダムアクセスメモリ３０３に転送される。
【０１０５】
サーバーＳｅｒｖは、ネットワークインターフェース３０６を通じて、バックボーンネットワークに接続される。例えば、ネットワークインターフェース３０６は、ＤＳＬモデム、又はＩＳＤＮインターフェース等である。ネットワークインターフェース３０６を通じて、サーバーＳｅｒｖは、ホーム基地局ＨＢＳにメッセージを転送し、及び／又はホーム基地局ＨＢＳからメッセージを受信することができる。
【０１０６】
図４〜図９に関してこれ以降に記述されるアルゴリズムのありとあらゆるステップは、ＰＣ（パーソナルコンピューター(Personal Computer)）、ＤＳＰ（デジタルシグナルプロセッサ(Digital Signal Processor)）又はマイクロコントローラーのようなプログラマブル計算機によって１組の命令又はプログラムを実行することによってソフトウェアにおいて実施することができるか、又はＦＰＧＡ（フィールドプログラマブルゲートアレイ(Field-Programmable Gate Array)）又はＡＳＩＣ（特定用途向け集積回路(Application-Specific Integrated Circuit)）のような機械又は専用構成要素によってハードウェアにおいて実施することができる。
【０１０７】
図４は、本発明による、無線インターフェースを通じてホーム基地局により転送される信号の送信電力の最大値を設定するためのアルゴリズムの第１の例を開示する。
【０１０８】
より厳密には、本アルゴリズムは、ホーム基地局ＨＢＳが電源を入れられるときに、かつ／又は周期的に、かつ／又はホーム基地局が或る移動端末ＭＴをサービングし始めるか、若しくはサービングし終わるときに、ホーム基地局ＨＢＳのプロセッサ２００によって実行される。
【０１０９】
ステップＳ４００において、プロセッサ２００は、ホーム基地局ＨＢＳ付近に位置する、移動端末ＭＴ２のような移動端末をサービングする基地局ＢＳ１によって転送された受信無線信号の電力値を無線インターフェース２０５から入手する。基地局ＢＳ１によって転送された受信無線信号の電力値は、ホーム基地局ＨＢＳの無線インターフェース２０５によって測定されるか、又はホーム基地局ＨＢＳによってサービングされる移動端末ＭＴ１のような移動端末によって受信される信号の測定報告から検索される。
【０１１０】
ステップＳ４０１において、プロセッサ２００は、ホーム基地局ＨＢＳ付近に位置する移動端末をサービングしない基地局ＢＳ２によって転送される受信無線信号の電力値を無線インターフェース２０５から入手する。基地局ＢＳ２によって転送される受信無線信号の電力値は、ホーム基地局ＨＢＳの無線インターフェース２０５によって測定されるか、又はホーム基地局ＨＢＳによってサービングされる移動端末ＭＴ１のような移動端末によって受信される信号の測定報告から検索される。
【０１１１】
次のステップＳ４０２において、プロセッサ２００は、ホーム基地局ＨＢＳによってサービングされる移動端末ＭＴ１における雑音レベルＮを入手する。
【０１１２】
雑音レベルは、ＲＡＭメモリ２０３内に格納されるか、又は移動端末ＭＴ１によって転送される所定の値とすることができる。
【０１１３】
次のステップＳ４０３において、プロセッサ２００は、壁貫通係数ａを入手する。
【０１１４】
壁貫通係数ａは、ＲＡＭメモリ２０３に格納される所定の値とすることもできるし、専門技術者によって測定するか又はホーム基地局ＨＢＳの所有者によって実行される測定から推測することもできる。
【０１１５】
次のステップＳ４０４において、プロセッサ２００は、ホーム基地局ＨＢＳセルエッジにおけるＳＩＮＲ、及び／又はホーム基地局ＨＢＳセルエッジにおける受信電力、及び／又はホーム基地局ＨＢＳの無線信号送信電力の値を求める。
【０１１６】
例えば、ホーム基地局ＨＢＳセルエッジにおけるＳＩＮＲは、ＳＩＮＲ1F,CEに等しいか、又はＳＩＮＲ1F,CEとＳＩＮＲ2F,CEとの和に等しい。後者の場合、以下の式が成り立つ。
【数１８】
0005934510.tif 000019
【０１１７】
ホーム基地局ＨＢＳセルエッジにおける最大受信電力値は以下の式に等しい。
【数１９】
0005934510.tif 000020
【０１１８】
ホーム基地局ＨＢＳの最大無線信号送信電力値は以下の式に等しい。
【数２０】
0005934510.tif 000021
【０１１９】
Ｇは、例えば、ホーム基地局ＨＢＳによってサービングされる移動端末ＭＴによって転送される測定報告を用いて、長期的に決定される。
【０１２０】
ホーム基地局ＨＢＳセルエッジにおけるＳＩＮＲがＳＩＮＲ1F,CEに等しい場合には、ホーム基地局ＨＢＳの最大無線信号送信電力値は、基地局によってサービングされるとともにホーム基地局付近に位置する移動端末の最悪の信号対干渉雑音比を、ホーム基地局によってサービングされる移動端末の最悪の信号対干渉雑音比に等しくすることを目指す。
【０１２１】
ここで、一変形形態では、ステップＳ４０３及び／又はＳ４０４は、ホーム基地局ＨＢＳの代わりに、サーバーＳｅｒｖによって実行されることに留意されたい。ホーム基地局ＨＢＳは、ステップＳ４００、Ｓ４０１、Ｓ４０２又はＳ４００〜Ｓ４０３において入手した情報をサーバーＳｅｒｖに転送し、サーバーは、それに応答して、ホーム基地局ＨＢＳの最大無線信号送信電力を転送する。
【０１２２】
次のステップＳ４０５において、プロセッサ２００は、無線インターフェースに対して、最大無線信号送信電力値Ｐt、又は少なくとも０（null）でない送信電力値、かつ高くても最大無線信号送信電力値Ｐtを適用するように指示する。
【０１２３】
例えば、適用される電力値は、最小でも、最大無線信号送信電力値Ｐtの９０％に等しい。
【０１２４】
図５は、本発明による、無線インターフェースを通じてホーム基地局により転送される信号の送信電力の最大値を設定するためのアルゴリズムの第２の例を開示する。
【０１２５】
より厳密には、本アルゴリズムは、ホーム基地局ＨＢＳが電源を入れられるときに、かつ／又は周期的に、かつ／又はホーム基地局ＨＢＳが或る移動端末をサービングし始めるか、若しくはサービングし終わるときに、ホーム基地局ＨＢＳのプロセッサ２００によって実行される。
【０１２６】
ステップ５００において、プロセッサ２００は、基地局ＢＳによって転送される信号の受信電力とホーム基地局ＨＢＳの最大無線信号送信電力値とを関連付けるテーブルを入手する。
【０１２７】
例えば、そのテーブルはＲＯＭメモリ２０２に格納されるか、又はネットワークインターフェース２０６を通じてサーバーＳｅｒｖから受信される。
【０１２８】
ステップＳ５０１において、プロセッサ２００は、ホーム基地局ＨＢＳ付近に位置する、移動端末ＭＴ２のような移動端末をサービングする基地局ＢＳ１によって転送される受信無線信号の電力値を無線インターフェース２０５から入手する。基地局ＢＳ１によって転送される受信無線信号の電力値は、ホーム基地局ＨＢＳの無線インターフェース２０５によって測定されるか、又はホーム基地局ＨＢＳによってサービングされる、移動端末ＭＴ１のような移動端末によって受信される信号の測定報告から検索される。
【０１２９】
次のステップＳ５０２において、プロセッサ２００は、壁貫通係数ａ及び劣化係数ρを入手する。
【０１３０】
壁貫通係数ａはＲＡＭメモリ２０３内に格納される所定の値とすることもできるし、専門技術者によって測定するか、又はホーム基地局ＨＢＳの所有者によって実行される測定から推測することもできる。係数ρは、ＲＡＭメモリ２０３に格納される所定の値とすることもできるし、専門技術者によって設定することもできる。
【０１３１】
次のステップＳ５０３において、プロセッサ２００は、ステップＳ５００において入手したテーブル及び基地局ＢＳ１によって転送された受信無線信号の電力値を用いて、ホーム基地局ＨＢＳの最大無線信号送信電力値を求める。また、プロセッサ２００は、基地局によってサービングされるとともにホーム基地局付近に位置する移動端末の最悪の信号対干渉雑音比をホーム基地局によってサービングされる移動端末の最悪の信号対干渉雑音比に等しくすることを目指して、求められた最大送信電力値を壁貫通係数ａ、劣化係数ρに依存する関数だけシフトする。
【０１３２】
次のステップＳ５０４において、プロセッサ２００は、無線インターフェース２０６に対して、シフトされた最大無線信号送信電力値Ｐtを、又は少なくとも０でない送信電力値、かつ高くてもシフトされた最大無線信号送信電力値Ｐtを適用するように指示する。
【０１３３】
例えば、適用されるシフトされた無線信号送信電力値は、最小でもシフトされた最大無線信号送信電力値Ｐtの９０％に等しい。
【０１３４】
図６は、本発明による、無線インターフェースを通じてホーム基地局により転送される信号の送信電力の最大値を設定するためのアルゴリズムの第３の例を開示する。
【０１３５】
より厳密には、本アルゴリズムは、ホーム基地局ＨＢＳが電源を入れられるときに、かつ／又は周期的に、かつ／又はホーム基地局ＨＢＳが或る移動端末をサービングし始めるか、若しくはサービングし終わるときに、ホーム基地局ＨＢＳのプロセッサ２００によって実行される。
【０１３６】
ステップＳ６００において、プロセッサ２００は、ホーム基地局ＨＢＳのセルエッジにおける受信電力を、建物ＨＭの壁貫通係数ａ、移動端末ＭＴにおける雑音レベルＮ、基地局ＢＳ１によって転送されるとともに移動端末ＭＴ１によって受信される信号の電力値ＰM,i、及び基地局ＢＳ２によって転送されるとともに移動端末ＭＴ１によって受信される信号の電力値Ｐiに関連付けるテーブルを入手する。
そのテーブルは、基地局によってサービングされるとともにホーム基地局付近に位置する移動端末の最悪の信号対干渉雑音比を、ホーム基地局によってサービングされる移動端末の最悪の信号対干渉雑音比に等しくすることを目指す。
【０１３７】
例えば、そのテーブルは、ＲＡＭメモリ２０２に格納されるか、又はネットワークインターフェース２０６を通じてサーバーＳｅｒｖから受信される。
【０１３８】
次のステップＳ６０１において、プロセッサ２００は、建物ＨＭの壁貫通係数ａ、移動端末ＭＴにおける雑音レベルＮ、基地局ＢＳ１によって転送されるとともに移動端末ＭＴ１によって受信される信号の電力値ＰM,i、及び基地局ＢＳ２によって転送されるとともに移動端末ＭＴ１によって受信される信号の電力値Ｐiを入手する。
【０１３９】
上記の入手した値は、移動端末ＭＴ１から受信される測定報告若しくはＲＡＭメモリ２０３に格納されるデータから導出されるか、又は無線インターフェース２０５によって測定される。
【０１４０】
次のステップＳ６０２において、プロセッサ２００は、
ステップＳ６００において入手したテーブルと、
建物ＨＭの壁貫通係数ａ、移動端末ＭＴにおける雑音レベルＮ、基地局ＢＳ１によって転送されるとともに移動端末ＭＴ１によって受信される信号の電力値ＰM,i、及び基地局ＢＳ２によって転送されるとともに移動端末ＭＴ１によって受信される信号の電力値Ｐiとを用いて、
ホーム基地局ＨＢＳのセルエッジにおける受信電力値を求める。
【０１４１】
次のステップＳ６０３において、プロセッサ２００は、ホーム基地局ＨＢＳとホーム基地局ＨＢＳによってサービングされる移動端末ＭＴ１との間の建物ＨＭ内の最小経路利得Ｇの値を求める。
【０１４２】
Ｇは、例えば、ホーム基地局ＨＢＳによってサービングされる移動端末ＭＴによって転送される測定報告を用いて、長期的に求められる。
【０１４３】
次のステップＳ６０４において、プロセッサ２００は、求められたホーム基地局ＨＢＳのセルエッジにおける受信電力値、及びホーム基地局ＨＢＳとホーム基地局ＨＢＳによってサービングされる移動端末ＭＴ１との間の建物ＨＭ内の最小経路利得Ｇを用いて、ホーム基地局ＨＢＳの最大無線信号送信電力値を求める。
【０１４４】
次のステップＳ６０５において、プロセッサ２００は、無線インターフェース２０６に対して、最大無線信号送信電力値Ｐt、又は少なくとも０でない送信電力値、かつ高くても最大無線信号送信電力値Ｐtを適用するように指示する。
【０１４５】
例えば、適用される電力値は、最小でも、最大無線信号送信電力値Ｐtの９０％に等しい。
【０１４６】
図７は、本発明による、無線インターフェースを通じてホーム基地局により転送される信号の送信電力の最大値を設定するためのアルゴリズムの第４の例を開示する。
【０１４７】
より厳密には、本アルゴリズムは、ホーム基地局ＨＢＳが電源を入れられるときに、かつ／又は周期的に、かつ／又はホーム基地局ＨＢＳが或る移動端末をサービングし始めるか、若しくはサービングし終わるときに、ホーム基地局ＨＢＳのプロセッサ２００によって実行される。
【０１４８】
ステップＳ７００において、プロセッサ２００は、ホーム基地局ＨＢＳの最大無線信号送信電力値を、建物ＨＭの壁貫通係数ａ、移動端末ＭＴにおける雑音レベルＮ、基地局ＢＳ１によって転送されるとともに移動端末ＭＴ１によって受信される信号の電力値ＰM,i、基地局ＢＳ２によって転送されるとともに移動端末ＭＴ１によって受信される信号の電力値Ｐi、及びホーム基地局ＨＢＳとホーム基地局ＨＢＳによってサービングされる移動端末ＭＴ１との間の建物ＨＭ内の最小経路利得Ｇに関連付けるテーブルを入手する。
【０１４９】
例えば、そのテーブルはＲＯＭメモリ２０２に格納されるか、又はネットワークインターフェース２０６を通じてサーバーＳｅｒｖから受信される。
【０１５０】
そのテーブルは、基地局によってサービングされるとともにホーム基地局付近に位置する移動端末の最悪の信号対干渉雑音比を、ホーム基地局によってサービングされる移動端末の最悪の信号対干渉雑音比に等しくすることを目指す。
【０１５１】
次のステップＳ７０１において、プロセッサ２００は、建物ＨＭの壁貫通係数ａ、移動端末ＭＴにおける雑音レベルＮ、基地局ＢＳ１によって転送されるとともに移動端末ＭＴ１によって受信される信号の電力値ＰM,i、基地局ＢＳ２によって転送されるとともに移動端末ＭＴ１によって受信される信号の電力値Ｐi、及びホーム基地局ＨＢＳとホーム基地局ＨＢＳによってサービングされる移動端末ＭＴ１との間の建物ＨＭ内の最小経路利得Ｇを入手する。
【０１５２】
上記の入手した値は、移動端末ＭＴ１から受信される測定報告若しくはＲＡＭメモリ２０３に格納されるデータから導出されるか、又は無線インターフェース２０５によって測定される。
【０１５３】
ステップＳ７０２において、プロセッサ２００は、ステップＳ７００において入手したテーブル、及びステップＳ７０１において入手したデータを用いて、ホーム基地局ＨＢＳの最大無線信号送信電力値を求める。
【０１５４】
次のステップＳ７０３において、プロセッサ２００は、無線インターフェースに対して、最大無線信号送信電力値Ｐt、又は少なくとも０でない送信電力値、かつ高くても最大無線信号送信電力値Ｐtを適用するように指示する。
【０１５５】
例えば、適用される電力値は、最小でも、最大無線信号送信電力値Ｐtの９０％に等しい。
【０１５６】
図８は、本発明による、無線インターフェースを通じてホーム基地局により転送される信号の送信電力の最大値を設定するためのアルゴリズムの第５の例を開示する。
【０１５７】
より厳密には、本アルゴリズムは、ホーム基地局ＨＢＳが電源を入れられるときに、かつ／又は周期的に、かつ／又はホーム基地局ＨＢＳが或る移動端末をサービングし始めるか、若しくはサービングし終わるときに、ホーム基地局ＨＢＳのプロセッサ２００によって実行される。
【０１５８】
第５の例において、ホーム基地局ＨＢＳは、無線信号が第１の周波数帯において転送される第１の通信プロトコルを用いて移動端末をサービングすることができる。また、ホーム基地局ＨＢＳは、第１の通信プロトコルとは異なる第２の通信プロトコルを用いて移動端末をサービングすることができ、その場合、無線信号は第１の周波数帯とは異なる第２の周波数帯において転送される。
【０１５９】
ステップＳ８００において、プロセッサ２００は、無線インターフェース２０５を通じて、かつ第１の通信プロトコルを用いてメッセージを転送するように指示する。そのメッセージは、第２の周波数帯においていくつかの測定を実行する要求である。
【０１６０】
ステップＳ８０１において、プロセッサ２００は、無線インターフェースを通じて、移動端末ＭＴ１により実行された測定値の受信を検出する。
【０１６１】
例えば、測定値は、移動端末ＭＴにおける雑音レベルＮ、基地局ＢＳ１によって転送されるとともに移動端末ＭＴ１によって受信される信号の電力値ＰM,i、基地局ＢＳ２によって転送されるとともに移動端末ＭＴ１によって受信される信号の電力値Ｐiである。
【０１６２】
次のステップＳ８０２において、プロセッサ２００は、第２の周波数帯について、ホーム基地局ＨＢＳとホーム基地局ＨＢＳによってサービングされる移動端末ＭＴ１との間の建物ＨＭ内の最小経路利得Ｇを求める。
【０１６３】
Ｇは、例えば、ホーム基地局ＨＢＳによってサービングされる移動端末ＭＴによって転送される測定報告を用いて、長期的に決定される。
【０１６４】
同じステップにおいて、プロセッサ２００は、第２の周波数帯の壁貫通係数ａを入手する。
【０１６５】
壁貫通係数ａは、ＲＡＭメモリ２０３内に格納される所定の値とすることもできるし、専門技術者によって測定するか、又はホーム基地局ＨＢＳの所有者によって実行される測定から推測することもできる。
【０１６６】
次のステップＳ８０３において、プロセッサ２００は、第２の周波数帯について、受信した測定値、壁貫通係数ａ、及びホーム基地局ＨＢＳとホーム基地局ＨＢＳによってサービングされる移動端末ＭＴ１との間の建物ＨＭ内の最小経路利得Ｇを用いて、ホーム基地局ＨＢＳの最大無線信号送信電力値を求める。
【０１６７】
例えば、ホーム基地局ＨＢＳセルエッジにおけるＳＩＮＲは、ＳＩＮＲ1F,CEに等しいか、又はＳＩＮＲ1F,CEとＳＩＮＲ2F,CEとの和に等しい。後者の場合、以下の式が成り立つ。
【数２１】
0005934510.tif 000022
【０１６８】
ホーム基地局ＨＢＳセルエッジにおける最大受信電力値は以下の式に等しい。
【数２２】
0005934510.tif 000023
【０１６９】
ホーム基地局ＨＢＳの最大無線信号送信電力値は以下の式に等しい。
【数２３】
0005934510.tif 000024
【０１７０】
次のステップＳ８０４において、プロセッサ２００は、無線インターフェースに対して、最大無線信号送信電力値Ｐt、又は少なくとも０でない送信電力値、かつ高くても最大無線信号送信電力値Ｐtを第２の周波数帯に適用するように指示する。
【０１７１】
例えば、適用される電力値は、最小でも、最大無線信号送信電力値Ｐtの９０％に等しい。
【０１７２】
図９は、本発明による、無線インターフェースを通じてホーム基地局によって転送される信号の送信電力の最大値を設定するためのアルゴリズムの第６の例を開示する。
【０１７３】
より厳密には、本アルゴリズムは、ホーム基地局ＨＢＳが電源を入れられるときに、かつ／又は周期的に、かつ／又はホーム基地局ＨＢＳが或る移動端末をサービングし始めるか、若しくはサービングし終わるときに、ホーム基地局ＨＢＳのプロセッサ２００によって実行される。
【０１７４】
第６の例において、ホーム基地局ＨＢＳは、無線信号が第１の周波数帯において転送される第１の通信プロトコルを用いて移動端末をサービングすることができる。また、ホーム基地局ＨＢＳは、第１の通信プロトコルとは異なる第２の通信プロトコルを用いて移動端末をサービングすることができ、その場合、無線信号は第１の周波数帯とは異なる第２の周波数帯において転送される。
【０１７５】
ステップＳ９００において、プロセッサ２００は、無線インターフェース２０５を通じて、第１の通信プロトコルを用いてメッセージを転送するように指示する。そのメッセージは、第１の周波数帯においていくつかの測定を実行する要求である。
【０１７６】
ステップＳ９０１において、プロセッサ２００は、無線インターフェースを通じて、移動端末ＭＴ１によって実行された測定値の受信を検出する。
【０１７７】
例えば、測定値は、移動端末ＭＴにおける雑音レベルＮ、基地局ＢＳ１によって転送されるとともに移動端末ＭＴ１によって受信される信号の電力値ＰM,i、基地局ＢＳ２によって転送されるとともに移動端末ＭＴ１によって受信される信号の電力値Ｐiである。
【０１７８】
次のステップＳ９０２において、プロセッサ２００は、第１の周波数帯の場合に、ホーム基地局ＨＢＳとホーム基地局ＨＢＳによってサービングされる移動端末ＭＴ１との間の建物ＨＭ内の最小経路利得Ｇを求める。
【０１７９】
Ｇは、例えば、ホーム基地局ＨＢＳによってサービングされる移動端末ＭＴによって転送される測定報告を用いて、長期的に決定される。
【０１８０】
同じステップにおいて、プロセッサ２００は、第１の周波数帯について、壁貫通係数ａを入手する。
【０１８１】
壁貫通係数ａは、ＲＡＭメモリ２０３内に格納される所定の値とすることができるし、専門技術者によって測定するか、又はホーム基地局ＨＢＳの所有者によって実行される測定から推測することができる。
【０１８２】
次のステップＳ９０３において、プロセッサ２００は、第１の周波数帯と第２の周波数帯との間の補正係数を用いて、求められた壁貫通係数ａ、及びホーム基地局ＨＢＳとホーム基地局ＨＢＳによってサービングされる移動端末ＭＴ１との間の建物ＨＭ内の最小経路利得Ｇを変更する。
【０１８３】
補正係数は、例えば、ホーム基地局ＨＢＳのＲＡＭメモリ２０２に格納されている。
【０１８４】
次のステップＳ９０４において、プロセッサ２００は、受信した測定値、補正された壁貫通係数ａ及び補正された最小経路利得Ｇを用いて、ホーム基地局ＨＢＳの最大無線信号送信電力値を求める。
【０１８５】
例えば、ホーム基地局ＨＢＳセルエッジにおける最大ＳＩＮＲはＳＩＮＲ1F,CEに等しいか、又はＳＩＮＲ1F,CEとＳＩＮＲ2F,CEとの和に等しい。後者の場合、以下の式が成り立つ。
【数２４】
0005934510.tif 000025
【０１８６】
ホーム基地局ＨＢＳセルエッジにおける最大受信電力値は以下の式に等しい。
【数２５】
0005934510.tif 000026
【０１８７】
ホーム基地局ＨＢＳの最大無線信号送信電力値は以下の式に等しい。
【数２６】
0005934510.tif 000027
【０１８８】
次のステップＳ９０４において、プロセッサ２００は、無線インターフェースに対して、最大無線信号送信電力値Ｐt、又は少なくとも０でない送信電力値、かつ高くても最大無線信号送信電力値Ｐtを第２の周波数帯に適用するように指示する。
【０１８９】
例えば、適用される電力値は、最小でも、最大無線信号送信電力値Ｐtの９０％に等しい。
【０１９０】
当然のことながら、本発明の範囲から逸脱することなく、上述した本発明の実施形態に対して多くの変更を行うことができる。
【図１】
0005934510.tif 000032
【図２】
0005934510.tif 000033
【図３】
0005934510.tif 000034
【図４】
0005934510.tif 000035
【図５】
0005934510.tif 000036
【図６】
0005934510.tif 000037
【図７】
0005934510.tif 000038
【図８】
0005934510.tif 000039
【図９】
0005934510.tif 000040